(57)【要約】【課題】飲料切れとなって注出器から飲料が噴き出しても、飲料が周囲に飛び散らないようにする。【解決手段】飲料飛散防止カバー２０は、飲料容器Ｃに飲料を注出する注出器１０の注出ノズル１３に設けた基部２１と、基部２１から注出ノズル１３の径方向に延びて飲料容器Ｃの上側を覆うカバー部２２とを備えた。【選択図】図４
2017193369.tif 000002
【特許請求の範囲】
【請求項１】
飲料容器に飲料を注出する注出器の注出ノズルの外周部に設けた基部と、
前記基部から前記注出ノズルの径方向に延びて前記飲料容器の上側を覆うカバー部とを備えたことを特徴とする飲料飛散防止カバー。
【請求項２】
請求項１に記載の飲料飛散防止カバーにおいて、
前記カバー部には透明材または半透明材を採用したことを特徴とする飲料飛散防止カバー。
【請求項３】
請求項１または２に記載の飲料飛散防止カバーにおいて、
前記基部を前記カバー部の径方向の中心から偏心した位置に配置したことを特徴とする飲料飛散防止カバー。
【請求項４】
請求項３に記載の飲料飛散防止カバーにおいて、
前記基部に形成した前記注出ノズルの外周部を嵌合させる嵌合孔を下側に進むにつれて外側に傾斜させたことを特徴とする飲料飛散防止カバー。
【請求項５】
請求項１〜３に記載の飲料飛散防止カバーにおいて、
前記基部は前記カバー部の下側まで延びて、前記注出ノズルから注ぎ出される飲料をカバー部の下側の前記飲料容器内に導くノズル部を備えたことを特徴とする飲料飛散防止カバー。
【請求項６】
請求項５に記載の飲料飛散防止カバーにおいて、
前記ノズル部を下側に進むに連れて外側に傾斜させたことを特徴とする飲料飛散防止カバー。
【請求項７】
請求項１〜６の何れか１項に記載の飲料飛散防止カバーを前記注出ノズルに備えたことを特徴とする注出器。
【発明の詳細な説明】
【技術分野】
【０００１】
本発明は、飲料を注出する注出器の注出ノズルに設けた飲料飛散防止カバー及び飲料飛散防止カバーを備えた注出器に関する。
【背景技術】
【０００２】
特許文献１には、ビール等の飲料を注出する注出ガン（注出器）の発明が開示されている。注出ガンは、ガスボンベによって加圧された飲料水入り容器に供給ホースにより接続されており、操作レバーの操作によって内部に設けた開閉弁を開放させると、飲料水入り容器内の飲料が供給ホースから注出ガンに送り出され、注出ノズルからカップ等の飲料容器に注出される。
【先行技術文献】
【特許文献】
【０００３】
【特許文献１】実開平０１−１２８５９９号公報
【発明の概要】
【発明が解決しようとする課題】
【０００４】
上記の注出ガンにおいては、飲料水入り容器内の飲料がガスボンベの圧力によって注出ガンに送り出されるが、飲料水入り容器内の飲料がなくなると、供給ホースに残る飲料が炭酸ガスの圧力によって注出ガンから泡状になって噴き出し、噴き出した飲料がカップ等の飲料容器から周囲に飛び散るおそれがあった。本発明は、飲料切れとなって注出器から飲料が噴き出しても、飲料が周囲に飛び散らないようにすることを目的とする。
【課題を解決するための手段】
【０００５】
本発明は上記課題を解決するため、飲料容器に飲料を注出する注出器の注出ノズルに設けた基部と、基部から注出ノズルの径方向に延びて飲料容器の上側を覆うカバー部とを備えたことを特徴とする飲料飛散防止カバーを提供するものである。
【０００６】
上記のように構成した飲料飛散防止カバーにおいては、飲料が注出器の注出ノズルから飲料容器内に噴き出しても、噴き出した飲料は飲料飛散防止カバーのカバー部によって受けられるようになり、飲料が飲料容器の上側から周囲に飛散しないようになった。
【０００７】
上記のように構成した飲料飛散防止カバーにおいては、カバー部には透明材または半透明材を採用するのが好ましい。このようにしたときには、注出器の注出ノズルから飲料を飲料容器内に注出しているときに、透明または半透明なカバー部を通して飲料容器内の飲料を見ることができ、カバー部が注出操作に支障を生じないようにすることができた。
【０００８】
上記のように構成した飲料飛散防止カバーにおいては、基部をカバー部の径方向の中心から偏心した位置に設けるようにするのが好ましい。この場合において、基部に形成した注出ノズルの外周部を嵌合させる嵌合孔を下側に進むにつれて外側に傾斜させるようにするのがさらに好ましい。このようにしたときには、注出ノズルの先端が飲料容器の内周面に近接する位置に配置され、注出ノズルから注ぎ出される飲料が飲料容器の内周面に沿って流れ落ちるようになり、注出ノズルから飲料容器に注ぎ出される飲料が飲料容器の底部に勢いよく注ぎ出されるのを防ぐことができた。特に、飲料がビール等の発泡性飲料であるときに、飲料が飲料容器内で過剰に発泡するのを抑制できる効果を得ることができた。
【０００９】
上記のように構成した飲料飛散防止カバーにおいては、基部はカバー部の下側まで延びて、注出ノズルから注ぎ出される飲料をカバー部の下側の飲料容器内に導くノズル部を備えるのが好ましい。この場合において、ノズル部を下側に進むに連れて外側に傾斜させるのがさらに好ましい。このようにしたときには、ノズル部の先端が飲料容器の内周面に近接する位置に配置され、注出ノズルから注ぎ出される飲料がノズル部によって飲料容器の内周面に沿って流れ落ちるようになり、注出ノズルから注ぎ出される飲料が飲料容器の底部に勢いよく注ぎ出されるのを防ぐことができた。特に、飲料がビール等の発泡性飲料であるときに、飲料が飲料容器内で過剰に発泡するのを抑制できる効果を得ることができた。
【図面の簡単な説明】
【００１０】
【図１】本発明の飲料飛散防止カバーを採用した注出器の側面図である。
【図２】飲料飛散防止カバーの平面図（ａ）と、Ａ−Ａ断面図（ｂ）である。
【図３】注出器から飲料を注出しているときの側面図である。
【図４】飲料切れのときの図３に相当する側面図である。
【図５】基部をカバー部の中心から偏心させた実施形態の飲料飛散防止カバーの図１に相当する側面図である。
【図６】基部をカバー部の中心から偏心させた実施形態の飲料飛散防止カバーの図３に相当する側面図である。
【図７】基部がノズル部を備えた実施形態の飲料飛散防止カバー及び注出器の側面図である。
【図８】基部がノズル部を備えるとともに、ノズル部を傾斜させた実施形態の飲料飛散防止カバー及び注出器の側面図である。
【図９】ファッションドラフトと呼ばれる注出器に飲料飛散防止カバーを設けたときの側面図である。
【図１０】飲料ディスペンサの注出器に飲料飛散防止カバーを設けたときの側面図である。
【発明を実施するための形態】
【００１１】
以下に、本発明の飲料飛散防止カバーを採用した注出器の一実施形態を図面を参照して説明する。本発明の飲料飛散防止カバー２０を設けた注出器１０は、ビール等の飲料をカップ等の飲料容器Ｃに注ぎ出すのに用いられるものであり、この実施形態の注出器１０は、野球場等の競技場、イベント会場等の会場で、人の背中に背負ったビア樽等の飲料入りタンク内の飲料をガスボンベの炭酸ガスの圧力によってカップ等の飲料容器Ｃに注ぎ出すのに用いられるものである。
【００１２】
注出器１０は、筒形の本体部１１と、本体部１１の下部に一体的に形成された把持部１２と、本体部１１の前部に設けた管状の注出ノズル１３とを備えている。本体部１１内には弁機構部（図示省略）が設けられており、弁機構部はビア樽等の飲料入りタンクから導出した飲料供給管Ｓと注出ノズル１３とに接続されている。飲料供給管Ｓは弁機構部の閉止によって注出ノズル１３と遮断状態となっており、この状態では、飲料入りタンク内の飲料は飲料供給管Ｓから注出ノズル１３に送られない。飲料供給管Ｓは弁機構部の開放によって注出ノズル１３と連通状態となり、この状態となると、飲料入りタンク内の飲料は炭酸ガスの圧力によって飲料供給管Ｓを通って注出ノズル１３に送られる。
【００１３】
把持部１２は注出器１０を把持するものであり、本体部１１の下部には把持部１２の前側に弁機構部を開閉する操作レバー１４が設けられている。把持部１２を把持した手の指により操作レバー１４を引くと、弁機構部が閉止された状態から開放された状態となる。注出ノズル１３は飲料入りタンクから飲料供給管Ｓによって送り出された飲料を注ぎ出すものである。注出ノズル１３の先端部は下側に少し傾斜しており、注出ノズル１３の先端部には飲料飛散防止カバー２０が着脱可能に取り付けられている。
【００１４】
飲料飛散防止カバー２０は、注出ノズル１３から噴き出された飲料がカップＣの上側から周囲に飛散するのを防ぐことを目的としたものである。飲料飛散防止カバー２０は、注出ノズル１３の先端部の外周面に同軸的に嵌合した筒形をした基部２１と、基部２１から注出ノズル１３（基部２１）の径方向に延びる円板形をしたカバー部２２とを備え、この実施形態では基部２１及びカバー部２２を透明な樹脂材（透明材）により一体的に形成したものである。なお、この実施形態では、カバー部２２の上側からカップＣ内を視認できるように、飲料飛散防止カバー２０は透明な樹脂材により形成するようにしたが、これに限られるものでなく、飲料飛散防止カバー２０を半透明な樹脂材（半透明材）により形成するようにしてもよい。また、カバー部２２のみを透明な樹脂材または半透明な樹脂材により形成するようにしてもよい。なお、カバー部２２からカップＣ内を視認することができなくなるが、飲料の飛散を防止する目的だけであればカバー部２２に不透明な樹脂材を採用してもよい。筒形の基部２１に形成された嵌合孔２１ａは注出ノズル１３の先端より少し奥側に嵌合しており、基部２１はカバー部２２の中心に配置されている。カバー部２２はカップＣの上縁の径より少し大きな径の円板形をしている。
【００１５】
飲料入りタンク内の飲料をカップＣに注出するときには、図３に示したように、注出ノズル１３の先端開口をカップＣ内の上部に挿入しつつ、カップＣの上側を飲料飛散防止カバー２０のカバー部２２により覆うようにする。この状態で、把持部１２を把持した手指で操作レバー１４を引くと、飲料入りタンク内の飲料が炭酸ガスの圧力によって飲料供給管Ｓを通って注出ノズル１３に送り出され、飲料が注出ノズル１３からカップＣに注ぎ出される。
【００１６】
飲料入りタンク内の飲料がなくなると、飲料供給管Ｓに残る飲料が炭酸ガスの圧力によって注出ノズル１３から泡状になってカップＣ内に噴き出し、噴き出した飲料がカップＣから周囲に飛び散るおそれがある。この注出器１０においては、注出ノズル１３の先端部には飲料飛散防止カバー２０を設けたので、カップＣ内に注出ノズル１３から飲料が噴き出しても、図４に示したように、噴き出した飲料はカバー部２２によって受けられるようになり、飲料がカップＣの上側から周囲に飛び散らないようにすることができた。また、飲料飛散防止カバー２０のカバー部２２に透明な樹脂材を用いたので、注出ノズル１３から飲料をカップＣに注出しているときに、透明なカバー部２２を通してカップＣ内の飲料（カップＣ内の飲料の高さ、すなわち注出量）を見ることができ、カバー部２２が注出操作に支障を生じさせないようにすることができた。
【００１７】
次に、他の実施形態の飲料飛散防止カバー２０について説明する。この実施形態の飲料飛散防止カバー２０は、上述した実施形態と同様に、注出ノズル１３から噴き出た飲料がカップＣから周囲に飛散するのを防ぐようにしつつ、ビール等の発泡性飲料がカップＣ内で過剰に泡立つのを防ぐことを目的としたものである。図５に示したように、この実施形態の飲料飛散防止カバー２０も、注出ノズル１３の外周面に嵌合した筒形の基部２１と、基部２１から径方向に延びる円板形をしたカバー部２２とを備えている。基部２１はカバー部２２の径方向の中心から偏心した位置に形成されており、基部２１の嵌合孔２１ａは下側に進むに連れて外側に傾斜している。図６に示したように、カバー部２２によりカップＣの上縁を覆うようにしたときに、基部２１に形成した嵌合孔２１ａに嵌合させた注出ノズル１３の先端開口はカップＣの内周面に沿う位置に配置される。
【００１８】
図６に示したように、飲料入りタンク内の飲料をカップＣに注出するときには、注出ノズル１３の先端開口をカップＣ内に挿入しつつ、カップＣの上縁を飲料飛散防止カバー２０のカバー部２２により覆うようにすれば、注出ノズル１３の先端開口がカップＣの内周面上部に配置される。この状態で、把持部１２を把持した手指で操作レバー１４を引くと、飲料入りタンク内の飲料が炭酸ガスの圧力によって飲料供給管Ｓを通って注出ノズル１３に送り出され、飲料が注出ノズル１３からカップＣに注ぎ出される。このとき、注出ノズル１３の先端開口はカップＣの内周面上部に近接する位置に配置され、注出ノズル１３の先端開口から注ぎ出される飲料はカップＣの内周面に沿って流れ落ちる。このように、注出ノズル１３からカップＣに注ぎ出される飲料がカップＣの底部に勢いよく注ぎ出されるのを防ぐことができたので、飲料がビール等の発泡性飲料であるときに、飲料がカップＣ内で過剰に発泡するのを抑制することができた。なお、この実施形態の飲料飛散防止カバー２０においても、上述した実施形態と同様に、注出ノズル１３から噴き出した飲料がカップＣの上側から周囲に飛び散らないようにする等の作用効果を当然に得ることができる。
【００１９】
上記の各実施形態においては、図７及び図８に示したように、基部２１はカバー部２２の下側まで延びて、注出ノズル１３から注ぎ出される飲料をカバー部２２の下側のカップＣ内に導くノズル部２１ｂを備えるようにしてもよい。この場合に、図７に示したように、ノズル部２１ｂを鉛直方向に延出させて、ノズル部２１ｂの先端開口をカップＣの径方向の中央部にてカップＣの上部位置に配置されるようにしてもよいし、図８に示したように、ノズル部２１ｂを下側に進むに連れて外側に傾斜させるようにし、ノズル部２１ｂの先端開口をカップＣの内周面の上部に近接する位置に配置されるようにしてもよい。図８に示したように、ノズル部２１ｂの先端開口をカップＣの内周面の上部に近接する位置に配置すれば、注出ノズル１３から注ぎ出される飲料がノズル部２１ｂによってカップＣの内周面に沿って流れ落ちるようになる。このように、注出ノズル１３からカップＣに注ぎ出される飲料がカップＣの底部に勢いよく注ぎ出されるのを防ぐことができたので、飲料がビール等の発泡性飲料であるときに、飲料がカップＣ内で過剰に発泡するのを抑制することができた。なお、これらの実施形態の飲料飛散防止カバー２０においても、上述した実施形態と同様に、注出ノズル１３から噴き出した飲料がカップＣの上側から周囲に飛び散らないようにする等の作用効果を当然に得ることができる。
【００２０】
上記の各実施形態は、人の背中に飲料入りタンクを背負うようにするとともに人の手で注出器１０を把持するようにし、この注出器１０に飲料飛散防止カバー２０を設けるようにしたものについて説明したが、本発明はこれに限られるものでなく、厨房または飲食店の店内のカウンター等に設置されたファッションドラフト（図９参照）や飲料ディスペンサ（図１０参照）の注出コック等の注出器にも適用されるものである。
【００２１】
上述した各実施形態の飲料飛散防止カバー２０は、注出器１０と別体で構成されているので、飲料飛散防止カバー２０に飲料が付着したときには、注出器１０から飲料飛散防止カバー２０を取り外し、飲料飛散防止カバー２０のみを洗浄することができ、飲料が付着しやすい飲料飛散防止カバー２０を常に清潔に保つことができる。また、飲料飛散防止カバー２０を注出器１０と別体で構成したことにより、飲料飛散防止カバー２０を備えてない従来の注出器１０に飲料飛散防止カバー２０を追加で装着することができ、従来の注出器１０に飲料飛散防止カバー２０によって飲料が飛散するのを防止する機能を追加させることができるようになった。なお、本発明は、飲料飛散防止カバー２０を注出器１０と別体としたものに限られるものでなく、注出器１０の注出ノズル１３に上述した各実施形態の飲料飛散防止カバー２０を一体的に設けたものであってもよい。飲料飛散防止カバー２０を注出器１０の注出ノズル１３に一体的に設けたときには、基部２１を注出ノズル１３と一体的に形成したものであってもよいし、基部２１を注出ノズル１３の一部として構成した、または、基部２１を注出ノズル１３と同体としたものであってもよい。
【００２２】
上述した各実施形態の飲料飛散防止カバー２０においては、カバー部２２をカップＣの上縁の形状に合わせた円板形としたが、本発明はこれに限られるものでなく、カバー部２２を多角形の板形、種々の形状の板形としたものであってもよい。また、カバー部２２を板形としたものに限られるものでなく、傘形（錐形）、ドーム形（椀形）としたものであってもよい。さらに、カバー部２２の大きさは必ずしもカップＣの上縁の全体を覆う大きさに限られるものでなく、カップＣの上縁の大部分を覆う大きさであればよい。
【００２３】
上述した実施形態においては、注出器１０から注出する飲料としてビール等の発泡性飲料等を説明したが、これに限られものでなく、水、清涼飲料水等の他の飲料であってもよい。
【符号の説明】
【００２４】
１０…注出器、１３…注出ノズル、２０…飲料飛散防止カバー、２１…基部、２１ａ…嵌合孔、２２ｂ…ノズル部、２２…カバー部。
【図１】
2017193369.tif 000003
【図２】
2017193369.tif 000004
【図３】
2017193369.tif 000005
【図４】
2017193369.tif 000006
【図５】
2017193369.tif 000007
【図６】
2017193369.tif 000008
【図７】
2017193369.tif 000009
【図８】
2017193369.tif 000010
【図９】
2017193369.tif 000011
【図１０】
2017193369.tif 000012